(57)【要約】【課題】無駄な電力消費を低減すると共に印刷要求に迅速に対応する。【解決手段】所定時間Ｔ２に亘って印刷ジョブを受信しないときには数秒程度の準備により印刷ジョブの実行ができる程度の状態にする制限の浅い第２レベル制限を実行し（Ｓ１２０，Ｓ１６０，Ｓ１７０）、所定時間Ｔ１に亘ってネットワークで何ら通信が行なわれていないときには制御系を除いた各部の電力供給を停止する第１レベル制限を実行する（Ｓ１１０，Ｓ１８０，Ｓ１９０）。これにより、ネットワークに接続されたコンピュータのすべての電源がオフとされたときには、所定時間Ｔ１だけ経過したときにカラーレーザプリンタ２０を電力消費量の少ない状態とすることができる。また、ネットワークで通信が行なわれると、第１レベル制限が解除されて第２レベル制限が実行されるから（Ｓ１５０，Ｓ１７０）、印刷要求に迅速に対応することができる。【選択図】        図３
2005001237.tif 000002
【特許請求の範囲】
【請求項１】
ネットワークに接続可能な印刷装置であって、
印刷を実行する印刷実行手段と、
前記ネットワークに接続されたいずれかの機器から送信された情報を該ネットワークを介して受信すると共に該受信した情報が該印刷装置への印刷ジョブであるか否かを判定する情報受信手段と、
該情報受信手段により受信した情報が該印刷装置への印刷ジョブであると判定されたときに該印刷ジョブが前記印刷実行手段により実行されるよう該印刷実行手段を制御する印刷実行制御手段と、
前記情報受信手段により第１の所定時間に亘って情報を受信しないときに、少なくとも前記印刷実行手段への電力の供給を制限する第１のレベルの制限を実行する電力制限制御手段と、
を備える印刷装置。
【請求項２】
前記電力制限制御手段は、前記情報受信手段により第２の所定時間に亘って受信した情報が該印刷装置への印刷ジョブであると判定されないときには前記第１のレベルより電力の供給の制限が少ない第２のレベルの制限を実行する手段である請求項１記載の印刷装置。
【請求項３】
前記電力制限制御手段は、前記第２のレベルの制限を実行している最中に前記第１の所定時間に亘って前記情報受信手段により情報を受信しないときに前記第１のレベルの制限を実行する手段である請求項２記載の印刷装置。
【請求項４】
前記電力制限制御手段は、前記第１のレベルの制限を実行している最中に前記情報受信手段により情報を受信したときには前記第１のレベルの制限から前記第２のレベルの制限に切り替える手段である請求項２または３記載の印刷装置。
【請求項５】
前記第２のレベルの制限は、前記印刷実行手段における熱を用いて作動する機器の温度を印刷実行可能温度より低い温度で保持する制限である請求項２ないし４いずれか記載の印刷装置。
【請求項６】
前記電力制限制御手段は、前記電力の供給の制限を実行している最中に前記情報受信手段により情報を受信すると共に該受信した情報が該印刷装置への印刷ジョブであると判定したときには前記電力の供給の制限を解除する手段である請求項１ないし５いずれか記載の印刷装置。
【請求項７】
前記第１のレベルの制限は、前記印刷実行手段への電力の供給を停止する制限である請求項１ないし６いずれか記載の印刷装置。
【請求項８】
前記ネットワークを介して行なわれる情報の送受信はパケット通信である請求項１ないし７いずれか記載の印刷装置。
【請求項９】
印刷を実行する印刷実行手段を有しネットワークに接続された印刷装置の制御方法であって、
（ａ）前記ネットワークに接続されたいずれかの機器から送信された情報を該ネットワークを介して受信すると共に該受信した情報が該印刷装置への印刷ジョブであるか否かを判定し、
（ｂ）前記受信した情報が該印刷装置への印刷ジョブであると判定されたときに該印刷ジョブが前記印刷実行手段により実行されるよう制御し、
（ｃ）前記ネットワークを介して第１の所定時間に亘って情報を受信しないときに少なくとも前記印刷実行手段への電力の供給を制限する第１のレベルの制限を実行する
印刷装置の制御方法。
【請求項１０】
前記ステップ（ｃ）は、前記ステップ（ａ）で第２の所定時間に亘って前記受信した情報が該印刷装置への印刷ジョブであると判定されないときには前記第１のレベルより電力の供給の制限が少ない第２のレベルの制限を実行するステップである請求項９記載の印刷装置の制御方法。
【請求項１１】
ネットワークに接続可能な印刷装置の制御部にインストールされるプログラムであって、請求項９または１０記載のステップ（ａ）ないし（ｃ）を各手順として前記制御部に実行させるプログラム。
【発明の詳細な説明】
【０００１】
【発明の属する技術分野】
本発明は、印刷装置及びその制御方法並びにプログラムに関し、詳しくは、消費電力を低減できる印刷装置及びその制御方法並びにプログラムに関する。
【０００２】
【従来の技術】
従来、この種の印刷装置としては、ネットワークに接続されたホストコンピュータから一定時間に亘って印刷要求がなされないときには印刷を実行する各部への電力供給を制限するものが提案されている（例えば、特許文献１参照）。この装置では、このように電力供給を制限することにより、装置の電力消費量を少なくしている。
【０００３】
【特許文献１】
特開平２−５６４９号公報
【０００４】
【発明が解決しようとする課題】
しかしながら、こうした印刷装置では、一定時間に亘って印刷要求がなされないときに電力供給を制限するものの、無駄な電力を消費する場合が生じる。例えば、印刷装置の電源をオフするのを忘れて利用者がオフィスから帰宅した場合には、印刷装置は制限されているものの電力供給は行なわれるから、無駄な電力を消費することになる。
【０００５】
本発明の印刷装置およびその制御方法は、無駄な電力消費を低減することを目的の一つとする。また、本発明の印刷装置およびその制御方法は、印刷要求に迅速に対応することを目的の一つとする。本発明の印刷装置に用いられるプログラムは、印刷装置を無駄な電力消費を低減する装置として機能させることを目的とする。
【０００６】
【課題を解決するための手段およびその作用・効果】
本発明の印刷装置及びその制御方法並びにプログラムは、上述の目的の少なくとも一部を達成するために以下の手段を採った。
【０００７】
本発明の印刷装置は、
ネットワークに接続可能な印刷装置であって、
印刷を実行する印刷実行手段と、
前記ネットワークに接続されたいずれかの機器から送信された情報を該ネットワークを介して受信すると共に該受信した情報が該印刷装置への印刷ジョブであるか否かを判定する情報受信手段と、
該情報受信手段により受信した情報が該印刷装置への印刷ジョブであると判定されたときに該印刷ジョブが前記印刷実行手段により実行されるよう該印刷実行手段を制御する印刷実行制御手段と、
前記情報受信手段により第１の所定時間に亘って情報を受信しないときに、少なくとも前記印刷実行手段への電力の供給を制限する第１のレベルの制限を実行する電力制限制御手段と、
を備えることを要旨とする。
【０００８】
この本発明の印刷装置では、ネットワークに接続されたいずれかの機器から送信された情報を受信し、その情報が印刷装置への印刷ジョブであるか否かを判定し、その情報が印刷装置への印刷ジョブであるときには印刷実行手段により印刷を実行する。そして、第１の所定時間に亘って何ら情報を受信しないときには、印刷実行手段への電力の供給を制限する第１のレベルの制限を実行する。即ち、ネットワークに第１の所定時間に亘って何ら情報が送受信されないときに、第１のレベルの制限を実行するのである。これにより、印刷装置による無駄な電力の消費を低減することができる。ここで、「第１のレベルの制限」は、前記印刷実行手段への電力の供給を停止する制限であるものとすることもできる。こうすれば、無駄な電力消費をより低減することができる。なお、ネットワークを介して行なわれる情報の送受信はパケット通信によるものとすることができる。
【０００９】
こうした本発明の印刷装置において、前記電力制限制御手段は、前記情報受信手段により第２の所定時間に亘って受信した情報が該印刷装置への印刷ジョブであると判定されないときには前記第１のレベルより電力の供給の制限が少ない第２のレベルの制限を実行する手段であるものとすることもできる。即ち、第２の所定時間に亘って印刷ジョブを受信しないときに制限の軽い第２のレベルの制限により電力の供給を制限し、この状態から更に第１の所定時間に亘ってネットワークに何ら情報が送受信されないときに第２のレベルの制限により電力の供給を制限するのである。この結果、段階的に電力の供給を制限することができる。ここで、「第２のレベルの制限」は、前記印刷実行手段における熱を用いて作動する機器の温度を印刷実行可能温度より低い温度で保持する制限であるものとすることもできる。
【００１０】
この段階的に電力の供給を制限する態様の本発明の印刷装置において、前記電力制限制御手段は、前記第２のレベルの制限を実行している最中に前記第１の所定時間に亘って前記情報受信手段により情報を受信しないときに前記第１のレベルの制限を実行する手段であるものとすることもできる。
【００１１】
また、段階的に電力の供給を制限する態様の本発明の印刷装置において、前記電力制限制御手段は、前記第１のレベルの制限を実行している最中に前記情報受信手段により情報を受信したときには前記第１のレベルの制限から前記第２のレベルの制限に切り替える手段であるものとすることもできる。こうすれば、印刷ジョブを受信したときに迅速に対応することができる。
【００１２】
本発明の印刷装置において、前記電力制限制御手段は、前記電力の供給の制限を実行している最中に前記情報受信手段により情報を受信すると共に該受信した情報が該印刷装置への印刷ジョブであると判定したときには前記電力の供給の制限を解除する手段であるものとすることもできる。こうすれば、印刷ジョブの実行を迅速に行なうことができる。
【００１３】
本発明の印刷装置の制御方法は、
印刷を実行する印刷実行手段を有しネットワークに接続された印刷装置の制御方法であって、
（ａ）前記ネットワークに接続されたいずれかの機器から送信された情報を該ネットワークを介して受信すると共に該受信した情報が該印刷装置への印刷ジョブであるか否かを判定し、
（ｂ）前記受信した情報が該印刷装置への印刷ジョブであると判定されたときに該印刷ジョブが前記印刷実行手段により実行されるよう制御し、
（ｃ）前記ネットワークを介して第１の所定時間に亘って情報を受信しないときに少なくとも前記印刷実行手段への電力の供給を制限する第１のレベルの制限を実行する
ことを要旨とする。
【００１４】
本発明の印刷装置の制御方法によれば、ネットワークに接続されたいずれかの機器から送信された情報を受信し、その情報が印刷装置への印刷ジョブであるか否かを判定し、その情報が印刷装置への印刷ジョブであるときには印刷実行手段により印刷を実行し、第１の所定時間に亘って何ら情報を受信しないときには、印刷実行手段への電力の供給を制限する第１のレベルの制限を実行するから、即ち、ネットワークに第１の所定時間に亘って何ら情報が送受信されないときに第１のレベルの制限を実行するから、印刷装置による無駄な電力の消費を低減することができる。ここで、「第１のレベルの制限」は、前記印刷実行手段への電力の供給を停止する制限であるものとすることもできる。また、ネットワークを介して行なわれる情報の送受信はパケット通信によるものとすることもできる。
【００１５】
こうした本発明の印刷装置の制御方法において、前記ステップ（ｃ）は、前記ステップ（ａ）で第２の所定時間に亘って前記受信した情報が該印刷装置への印刷ジョブであると判定されないときには前記第１のレベルより電力の供給の制限が少ない第２のレベルの制限を実行するステップであるものとすることもできる。即ち、第２の所定時間に亘って印刷ジョブを受信しないときに制限の軽い第２のレベルの制限により電力の供給を制限し、この状態から更に第１の所定時間に亘ってネットワークに何ら情報が送受信されないときに第２のレベルの制限により電力の供給を制限するのである。この結果、段階的に電力の供給を制限することができる。
【００１６】
本発明の印刷装置に用いられるプログラムは、ネットワークに接続可能な印刷装置の制御部にインストールされるプログラムであって、上述のいずれかの態様の本発明の印刷装置の制御方法におけるステップ（ａ）ないし（ｃ）、即ち、基本的には、（ａ）前記ネットワークに接続されたいずれかの機器から送信された情報を該ネットワークを介して受信すると共に該受信した情報が該印刷装置への印刷ジョブであるか否かを判定するステップと、（ｂ）前記受信した情報が該印刷装置への印刷ジョブであると判定されたときに該印刷ジョブが前記印刷実行手段により実行されるよう制御するステップと、（ｃ）前記ネットワークを介して第１の所定時間に亘って情報を受信しないときに少なくとも前記印刷実行手段への電力の供給を制限する第１のレベルの制限を実行するステップとを各手順として前記制御部に実行させることを要旨とする。
【００１７】
この本発明の印刷装置に用いられるプログラムでは、ネットワークに接続可能な印刷装置の制御部に上述のいずれかの態様の本発明の印刷装置の制御方法を実行させるから、本発明の印刷装置の制御方法が奏する効果、例えば、印刷装置による無駄な電力の消費を低減することができる効果などと同様な効果を奏することができる。
【００１８】
【発明の実施の形態】
次に、本発明の実施の形態を実施例を用いて説明する。図１は本発明の一実施例であるカラーレーザプリンタ２０の構成の概略を示す構成図であり、図２は実施例のカラーレーザプリンタ２０のコントローラ５０における制御信号の入出力を示すブロック図である。
【００１９】
カラーレーザプリンタ２０は、単一感光体方式と中間転写方式とを採用したフルカラーの電子写真方式の画像形成装置として構成されており、図１に例示するように、シアン（Ｃ）、マゼンタ（Ｍ）、イエロー（Ｙ）、ブラック（Ｋ）の４色に色分解された各色毎の画像を帯電された感光体２１上にレーザを照射して静電潜像として形成する露光器２２と、装着された各色のトナーカートリッジ３２Ｃ，３２Ｍ，３２Ｙ，３２Ｋから供給される各色のトナーを用いて感光体２１上に形成された静電潜像をトナー像として現像する現像器２３と、感光体２１上に現像された各色のトナー像を転写ベルト２４に重ねて転写してカラートナー像を形成する一次転写ユニット２５と、用紙カセット２６から用紙を搬送する搬送ユニット２７と、搬送された用紙に転写ベルト２４に形成されたカラートナー像を転写する二次転写ユニット２８と、用紙上に転写されたカラートナー像を用紙に融着定着させて排紙する定着ユニット２９と、現像器２３の回転に伴ってトナーカートリッジ３２Ｃ，３２Ｍ，３２Ｙ，３２Ｋに取り付けられた記憶素子３３Ｃ，３３Ｍ，３３Ｙ，３３Ｋに接続してカートリッジのトナーの色に関する情報などを読み込む可動接続部３０と、こうしたカラーレーザプリンタ２０全体の動作を制御するコントローラ５０とを備える。尚、実施例では、単一感光体方式と中間転写方式を採用した画像形成装置にて説明したが、各色毎に感光体、現像器を持つタンデム方式等の他の構成であっても何ら問題はない。
【００２０】
コントローラ５０は、図示するように、ＣＰＵ５１やＲＡＭ５２，ＲＯＭ５３を中心としたマイクロプロセッサとして構成されており、各種センサ（例えば、温度センサなど）による検出値やその他の入力信号（例えば、操作者によるプリント指示信号など）が信号ラインを介して入力され、これらの入力信号やタイマ７３によるタイミングの計時に基づいて露光器駆動制御部５４や現像器駆動制御部５５，一次転写ユニット駆動制御部５６，二次転写ユニット駆動制御部５７，定着ユニット駆動制御部５８，搬送ユニット駆動制御部５９，可動接続部駆動制御部６０などを介して露光器２２や現像器２３，一次転写ユニット２５，二次転写ユニット２８，定着ユニット２９，搬送ユニット２７，可動接続部３０などのカラーレーザプリンタ６０の各部の動作を制御すると共に電源制御部７１を介して電源回路７２から露光器２２や現像器２３，一次転写ユニット２５，二次転写ユニット２８，定着ユニット２９，搬送ユニット２７，可動接続部３０の各部への電力供給を制御している。また、コントローラ５０は、ＬＡＮボード７４により印刷ジョブを送信したり通信などを行なう複数のコンピュータ１４，１６が接続されたネットワーク１２に接続されている。実施例のＬＡＮボード７４は、パケット通信を行なうための通常のＬＡＮボードとして構成されているが、通常の構成に加えてヘッダの宛先アドレスが自己のアドレスであるか否かに拘わらずパケットを受信したことを示す信号（以下、パケット信号という）をＣＰＵ５１に出力するよう構成されている。なお、実施例のコントローラ５０は、パケットが自己のアドレスであるときには、そのパケットが印刷ジョブであるか否かを判定し、印刷ジョブであるときには、最初のページのデータを受信したときに或いはすべてのデータを受信した後に印刷ジョブの実行を開始する。
【００２１】
次に、こうして構成された実施例のカラーレーザプリンタ２０の動作、特にネットワーク１２における情報の送受信に伴って各部への電力供給を制限する際の動作について説明する。図３は、コントローラ５０により実行される電力供給制御ルーチンの一例を示すフローチャートである。このルーチンは所定時間毎（例えば２０ｍｓｅｃ毎）に繰り返し実行される。
【００２２】
電力供給制御ルーチンが実行されると、コントローラ５０のＣＰＵ５１は、まず、ＬＡＮボード７４からのパケット信号や印刷ジョブを受信しているか否かのジョブ信号を入力する処理を実行する（ステップＳ１００）。ここで、実施例では、パケットが印刷ジョブであるか否かを判定したときに設定するフラグの値をジョブ信号として入力するものとした。続いて、入力したパケット信号がオンか否かによりネットワーク１２で通信がなされているか否かを判定する（ステップＳ１１０）。パケット信号は、前述したように、ヘッダの宛先アドレスが自己のアドレスであるか否かに拘わらずパケットを受信したことを示す信号であるから、ネットワーク１２に接続されたコンピュータ１４，１６間で通信があったときでもオンとされる。したがって、パケット信号のオンオフはネットワーク１２に接続されたコンピュータ１４，１６における通信の有無を表わしていることになる。ネットワーク１２で通信が行なわれているときにはジョブ信号に基づいて印刷ジョブを受信しているか否かを判定し（ステップＳ１２０）、印刷ジョブを受信しているときには電力供給が制限されているときにはその制限を解除して（ステップＳ１３０）、印刷ジョブの実行処理を行ない（ステップＳ１４０）、本ルーチンを終了する。なお、この電力供給制御ルーチンでは、印刷ジョブの実行処理は行なわないが、説明の容易のために「印刷の実行」の処理を図３に示した。
【００２３】
ステップＳ１２０で印刷ジョブを受信していないと判定したときには、電力供給を深いレベルで制限する第１レベル制限を実行しているか否かを示す制限フラグＦ１の値を調べる（ステップＳ１５０）。第１レベル制限については後述する。制限フラグＦ１が第１レベル制限が実行されていないときに設定される値０のときには、印刷ジョブを受信しなくなってから所定時間Ｔ２を経過したか否かを判定し（ステップＳ１６０）、所定時間Ｔ２を経過していないときにはこれで本ルーチンを終了し、所定時間Ｔ２を経過しているときには電力供給を浅いレベルで制限する第２レベル制限を実行して（ステップＳ１７０）、本ルーチンを終了する。ここで、第２レベル制限は、実施例では、数秒程度の準備により印刷ジョブの実行ができる程度の状態にカラーレーザプリンタ２０を保持するのに必要な電力を露光器２２や現像器２３，一次転写ユニット２５，二次転写ユニット２８，定着ユニット２９，搬送ユニット２７に供給するものとした。例えば、定着ユニット２９への電力供給の制限としては、直ちに印刷ジョブを実行することができる温度（例えば１８０℃）より低い温度（例えば７０℃）で保持する電力の供給とすることができる。また、所定時間Ｔ２は、印刷ジョブを受信しなくなってから第２レベル制限を実行するまでの時間であるから、例えば５分や１０分などのように設定することができる。
【００２４】
ステップＳ１５０で制限フラグＦ１が第１レベル制限が実行されているときに設定される値１のときには、印刷ジョブは受信していないがネットワーク１２で通信が行なわれているから、印刷ジョブを受信したときに迅速に印刷ジョブを受信するために第１レベル制限を制限の浅い第２レベル制限に変更し（ステップＳ１７０）、本ルーチンを終了する。第２レベル制限が実行されると、前述したように、カラーレーザプリンタ２０は数秒程度の準備により印刷ジョブの実行ができる程度の状態とされる。したがって、印刷ジョブを受信したときには迅速に印刷ジョブの実行を行なうことができる。
【００２５】
ステップＳ１１０でネットワーク１２において通信が行なわれていないと判定されたときには、ネットワーク１２での通信が行なわれなくなってから所定時間Ｔ１を経過したか否かを判定し（ステップＳ１８０）、所定時間Ｔ１を経過していないときには、これで本ルーチンを終了する。ネットワーク１２での通信が行なわれなくなって所定時間Ｔ１を経過したときには、印刷ジョブを受信する可能性がきわめて低いと判断し、深い制限の第１レベル制限を実行すると共に（ステップＳ１９０）、制限フラグＦ１に値１をセットして（ステップＳ２００）、本ルーチンを終了する。ここで、第１レベル制限は、実施例では、コントローラ５０やＬＡＮボード７４などの制御系を除いて他のすべての各部への電力供給を停止するものとした。また、所定時間Ｔ１は、例えば１０分や２０分などと設定することができる。このように、ネットワーク１２での通信が行なわれなくなってから所定時間Ｔ１を経過したときに第１レベル制限を実施することにより、カラーレーザプリンタ２０による無駄な電力消費を低減することができるのである。
【００２６】
図４は、パケット信号やジョブ信号の状態と電力供給の状態の時間変化の一例を示す。印刷ジョブを受信しなくなってジョブ信号がオフとされた時間ｔ１から所定時間Ｔ２に亘って印刷ジョブを受信しなかった時間ｔ２に第２レベル制限が実行され（ステップＳ１７０）、電力供給は値Ｌ２となる。この結果、カラーレーザプリンタ２０を数秒程度の準備により印刷ジョブの実行ができる程度の状態で保持すると共に無駄な電力消費を低減することができる。なお、このときでもコンピュータ１４，１６間ではネットワーク１２による通信が行なわれているから、パケット信号はオンの状態である。ネットワーク１２に接続されたすべてのコンピュータ１４，１６の電源がオフとされたときのように、ネットワーク１２による通信が行なわれなくなった時間ｔ３から所定時間Ｔ１に亘ってネットワーク１２で何ら通信が行なわれなかった時間ｔ４に第１レベル制限が実行され（ステップＳ１９０）、電力供給は値Ｌ１となる。この結果、カラーレーザプリンタ２０による無駄な電力消費を低減することができる。コンピュータ１４，１６で電源が投入されコンピュータ１４，１６間で通信が行なわれた時間ｔ５に第１レベル制限が解除されて第２レベル制限が実行され（ステップＳ１５０，Ｓ１７０）、電力供給は値Ｌ２となる。この結果、カラーレーザプリンタ２０は数秒程度の準備により印刷ジョブの実行ができる程度の状態に保持されるから、印刷ジョブを受信したときには迅速に印刷ジョブの実行を行なうことができる。そして、印刷ジョブを受信した時間ｔ６に電力制限は解除され（ステップＳ１３０）、印刷ジョブの実行が行なわれるよう電力供給がなされる。
【００２７】
以上説明した実施例のカラーレーザプリンタ２０によれば、所定時間Ｔ１に亘ってネットワーク１２で何ら通信が行なわれていないときに制限の深い第１レベル制限を実行することにより、無駄な電力消費を低減することができる。しかも、ネットワーク１２で通信が行なわれていても所定時間Ｔ２に亘って印刷ジョブを受信しないときには数秒程度の準備により印刷ジョブの実行ができる程度の状態にする制限の浅い第２レベル制限を実行するから、無駄な電力消費を低減することができると共に印刷ジョブの実行を迅速に行なうことができる。
【００２８】
ここで、実施例のカラーレーザプリンタ２０では、露光器２２や現像器２３，一次転写ユニット２５，二次転写ユニット２８，定着ユニット２９，搬送ユニット２７が印刷実行手段に相当し、ＬＡＮボード７４やコントローラ５０が情報受信手段に相当し、コントローラ５０におけるＣＰＵ５１やＲＡＭ５２，ＲＯＭ５３，露光器駆動制御部５４や現像器駆動制御部５５，一次転写ユニット駆動制御部５６，二次転写ユニット駆動制御部５７，定着ユニット駆動制御部５８，搬送ユニット駆動制御部５９が印刷実行制御手段に相当し、図３の電力供給制御ルーチンを実行するＣＰＵ５１が電力制限制御手段に相当する。
【００２９】
実施例のカラーレーザプリンタ２０では、図３のフローチャートから解るように、印刷ジョブを受信しなくなったときにネットワーク１２の通信も行なわれないときには、第２レベル制限を実行することなく第１レベル制限を実行するものとしたが、この場合でも第２レベル制限を実行した後に更に所定時間Ｔ１を経過したときに第１レベル制限を実行するものとしてもよい。
【００３０】
実施例のカラーレーザプリンタ２０では、所定時間Ｔ２に亘って印刷ジョブを受信しないときに第２制限レベルを実行するものとしたが、印刷ジョブの受信に拘わらず、第２制限レベルを実行しないものとしてもよい。
【００３１】
実施例のカラーレーザプリンタ２０では、所定時間Ｔ１に亘ってネットワーク１２で何ら通信が行なわれていないときに第１レベル制限を実行するものとしたが、電力供給の制限は段階的に行なうものとしてもよい。例えば、ネットワーク１２で何ら通信が行なわれていない状態における時間の経過に伴って２段或いは３段以上の段数で段階的に電力供給を制限するものとしてもよい。
【００３２】
実施例では、接続されたネットワーク１２での通信の状態に基づいてカラーレーザプリンタ２０の電力供給の制限として説明したが、モノクロのレーザプリンタやカラーまたはモノクロのインクジェットプリンタなどのプリンタやカラーまたはモノクロの複写機，ファクシミリなど他の印刷装置にも適用することができる。
【００３３】
実施例では、本発明をカラーレーザプリンタ２０として説明したが、印刷装置の制御方法の形態としてもよいし、印刷装置に用いられるプログラムの形態としてもよい。プログラムの形態の場合、図３の電力供給制御ルーチンの各ステップを各手順として適当なプログラミング言語を用いてプログラムすればよい。
【００３４】
以上、本発明の実施の形態について実施例を用いて説明したが、本発明はこうした実施例に何等限定されるものではなく、本発明の要旨を逸脱しない範囲内において、種々なる形態で実施し得ることは勿論である。
【図面の簡単な説明】
【図１】カラーレーザプリンタ２０の構成の概略を示す構成図。
【図２】コントローラ５０を中心とするブロック図。
【図３】電力供給制御ルーチンの一例を示すフローチャート。
【図４】電力供給制御をしている様子を説明する説明図。
【符号の説明】
１２  ネットワーク、１４，１６  コンピュータ、２０  カラーレーザプリンタ、２１  感光体、２２  露光器、２３  現像器、２４  転写ベルト、２５  一次転写ユニット、２６  用紙カセット、２７  搬送ユニット、２８  二次転写ユニット、２９  定着ユニット、３０  可動接続部、３２Ｃ，３２Ｍ，３２Ｙ，３２Ｋ  トナーカートリッジ、３３Ｃ，３３Ｍ，３３Ｙ，３３Ｋ  記憶素子、５０コントローラ、５１  ＣＰＵ、５２  ＲＡＭ、５３  ＲＯＭ、５４  露光器駆動制御部、５５  現像器駆動制御部、５６  一次転写ユニット駆動制御部、５７二次転写ユニット駆動制御部、５８  定着ユニット駆動制御部、５９  搬送ユニット駆動制御部、６０  可動接続部駆動制御部、７１  電源制御部、７２  電源回路、７３  タイマ、７４  ＬＡＮボード。
【図１】
2005001237.tif 000003
【図２】
2005001237.tif 000004
【図３】
2005001237.tif 000005
【図４】
2005001237.tif 000006